(57)【要約】  情報を記録するための第１記録層（１０７）と第２記録層（２０７）とを備えており、第１記録層及び第２記録層は、同一のトラックピッチからなり前記情報を記録するためのグルーブトラック（ＧＴ）を有し、各層に記録される前記情報の記録密度が相異なるように、記録時のクロックを生成するためのプリフォーマット（１０９、ＬＰＰ）がなされている。
2005069284.tif 000002
【特許請求の範囲】
【請求項１】
情報を記録するための第１記録層と第２記録層とを少なくとも備えており、
前記第１記録層及び前記第２記録層は夫々、同一のトラックピッチからなる前記情報を記録するためのグルーブトラックを有し、且つ各記録層に記録される前記情報の記録密度が相異なるように、記録時のクロックを生成するためのプリフォーマットがなされていることを特徴とする情報記録媒体。
【請求項２】
前記第１記録層及び前記第２記録層は夫々、前記グルーブトラックが各記録層において相異なる周期で揺動することにより前記プリフォーマットがなされていることを特徴とする請求の範囲第１項に記載の情報記録媒体。
【請求項３】
前記第１記録層及び第２記録層は夫々、更に前記グルーブトラック上の記録アドレス位置を示すランドプリピットが形成されており、
各記録層における前記ランドプリピットは、各記録層に記録される前記情報の記録密度が相異なるように形成されていることを特徴とする請求の範囲第２項に記載の情報記録媒体。
【請求項４】
前記第１記録層及び前記第２記録層は夫々、各記録層に記録される前記情報の再生ジッタが最小となるように、前記プリフォーマットがなされていることを特徴とする請求の範囲第１項に記載の情報記録媒体。
【発明の詳細な説明】
【技術分野】
【０００１】
本発明は、例えばＣＤ、ＤＶＤ等の情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１等に記載されているように、同一基板上に複数の記録層が積層されてなる多層型若しくはダブルレイヤ又はマルチプルレイヤ型の光ディスク等も開発されている。より具体的には、二層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような多層型の情報記録媒体を作成する際には、Ｌ０層とＬ１層とを別々に形成し、最後に夫々の層を貼り合わせることで、低コストに片面二層型の光ディスクを製造することができる。【０００３】
そして、このような片面二層型の光ディスクに情報を記録する、ＣＤレコーダ等の情報記録装置では、Ｌ０層に対して記録用のレーザ光を集光（或いは、照射）することで、Ｌ０層に対して情報を非可逆変化記録加熱などによる非可逆変化記録方式や書換え可能方式で記録し、Ｌ１層に対して該レーザ光を集光することで、Ｌ１層に対して情報を非可逆変化記録加熱などによる非可逆変化記録方式や書換え可能方式で記録することになる。【０００４】
また、各記録層の記録密度を記録層に平行な基準面からの距離が離れるほど小さくなるように設定し、各層に記録された信号が正しく再生されるようにした再生専用の片面ニ層型光ディスクが、特許文献２に記載されており、更に、カバーシート側の記録層（Ｌ１層）のトラックピッチを基板側の記録層（Ｌ０層）のトラックピッチよりも広くし、偏心に対しても安定したトラッキングを得るようにした記録用の片面ニ層型光ディスクが特許文献３に記載されている。【０００５】
【特許文献１】特開２００１−２３２３７号公報
【特許文献２】特開平１１−１６２０７号公報
【特許文献３】特開２００３−１４１７７５号公報
【発明の開示】
【発明が解決しようとする課題】
【０００６】
一般的な片面二層型の情報記録媒体（例えばＤＶＤ−ＲＯＭ）においては、その規格上、Ｌ０層及びＬ１層の夫々の記録密度が相等しくなるように情報が記録される。このため、夫々の記録層において記録容量に余裕がある場合であっても、所定の記録密度を有するように情報が記録される。より具体的には、記録密度を増加させる余裕が各記録層にあったとしても、夫々の記録層の記録密度を等しくするために強制的に記録密度を下げている。或いは、レーザ光の集光等の関係で記録される情報のマージンに余裕がない場合であっても、夫々の記録層の記録密度を等しくするために、敢えて余裕のないマージンをとってデータが記録される。このように現状の情報記録媒体は、記録密度の観点からすると非効率的であり、また記録層毎に見ても、最適な状態で情報が記録されているとは限らないという技術的な問題点を有している。【０００７】
この技術的問題点を解消するために、特許文献２や３はトラックピッチを広げるというアプローチを行っているが、トラッキングエラー信号の特性が各層で異なってしまうという問題が発生する。【０００８】
本発明は、例えば上述した従来の問題点に鑑みなされた多層型の情報記録媒体を提供することをその課題とする。
【課題を解決するための手段】
【０００９】
上記課題を解決するために、本発明の情報記録媒体は、情報を記録するための第１記録層と第２記録層とを少なくとも備えており、前記第１記録層及び前記第２記録層は夫々、同一のトラックピッチからなり前記情報を記録するためのグルーブトラックを有し、且つ各記録層に記録される前記情報の記録密度が相異なるように、記録時のクロックを生成するためのプリフォーマットがなされている。【００１０】
本発明の作用及び利得は次に説明する実施の形態から明らかにされる。
【図面の簡単な説明】
【００１１】
【図１】本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の第１実施例に係る光ディスクの記録面における部分拡大斜視図である。
【図３】第１実施例に係る光ディスクのグルーブトラック上に記録される情報ピットを概念的に示す模式図である。
【図４】第２実施例に係る光ディスクの記録密度の分布を概念的に示す平面図である。
【図５】第２実施例に係る光ディスクの異なる２つの記録層のうち、レーザ光が照射される側から見て遠い側にある記録層へ情報を記録する態様を概念的に示す説明図である。
【図６】本発明の実施例に係る情報記録再生装置のブロック図である。
【符号の説明】
【００１２】
１  センターホール
１００、１００ａ、１００ｂ、１００ｃ  光ディスク
１０２  データゾーン
１０９  ウォブル
３００  情報記録再生装置
３０６  データ入出力制御手段
３０７  操作制御手段
３５２  光ピックアップ
３５３  信号記録再生手段
３５４  プロセッサ（ドライブ制御手段）
ＧＴ  グルーブトラック
ＬＴ  ランドトラック
ＬＢ  レーザ光
ＬＰＰ  ランドプリピット
【発明を実施するための最良の形態】
【００１３】
本発明の情報記録媒体に係る実施形態は、情報を記録するための第１記録層と第２記録層とを少なくとも備えており、前記第１記録層及び前記第２記録層は夫々、同一のトラックピッチからなり前記情報を記録するためのグルーブトラックを有し、且つ各記録層に記録される前記情報の記録密度が相異なるように、記録時のクロックを生成するためのプリフォーマットがなされている。【００１４】
本発明の情報記録媒体に係る実施形態によれば、第１記録層と第２記録層の夫々に情報を記録することができる。そして、各記録層は夫々、情報を記録するためのグループトラックを有しており、且つこれらのグループトラックの間隔であるトラックピッチは夫々の記録層において同一である。【００１５】
本実施形態では特に、第１記録層における情報の記録密度と第２記録層における情報の記録密度とが相異なるようにプリフォーマットがなされている。各種情報は、このプリフォーマットに基づき生成される記録クロック（記録時のクロック）に基づいて、例えば後述の情報記録再生装置の動作により記録される。そして例えば、第１記録層の記録密度が第２記録層の記録密度よりも大きければ、第１記録層には、同一面積の第２記録層に記録可能な情報以上の容量を有する情報を記録することができる。他方、例えば、第１記録層の記録密度が第２記録層の記録密度よりも小さければ、第１記録層には、同一面積の第２記録層に記録可能な情報以上の容量を有する情報を記録することはできない。【００１６】
仮に、第１記録層と第２記録層との夫々の記録密度が同一でなければならないとすると、夫々の記録層（即ち、第１記録層及び第２記録層）の最適な記録密度が同一である場合にはよいが、そうでない場合（即ち、夫々の記録層の最適記録密度が相異なる場合）には不都合が生ずる。この場合、一方の記録層の記録密度に他方の記録層の記録密度を強制的に合わせる必要があり、該他方の記録層では必ずしも最適な記録密度にて情報は記録されないという技術的な問題点を有している。【００１７】
しかるに、本実施形態によれば、夫々の記録層の記録密度が相異なるように（即ち、夫々の記録層に異なる記録密度で情報を記録できるように）プリフォーマットがなされているため、上述の如き不都合を生ずることはない。即ち、一方の記録層と他方の記録層との記録密度を必ずしも一致させる必要がない。このため、他方の記録層の記録密度や状態等に係わらず、一方の記録層において好適な或いは最適な記録密度で情報を記録することができる。例えば第１記録層の記録密度に関係なく第２記録層の記録密度を決定することができるし、また、第２記録層の記録密度に関係なく第１記録層の記録密度を決定することができる。更には、強制的に記録密度を合わせる必要もなくなり、その結果、本来望ましくない状態で情報が記録されるという不都合を解消することができる。これにより、情報の記録特性の向上（例えば、安定した記録等）にもつながるという大きな利点を有する。【００１８】
以上の結果、本発明の情報記録媒体に係る実施形態によれば、第１記録層及び第２記録層の夫々の記録密度が異なることで、各記録層においてより好適な記録密度で適切に情報の記録を行うことができる。【００１９】
本発明の情報記録媒体に係る実施形態の一の態様は、前記第１記録層及び前記第２記録層は夫々、前記グルーブトラックが各記録層において相異なる周期で揺動することにより前記プリフォーマットがなされている。【００２０】
この態様によれば、グルーブトラックは所定周期で揺動しているウォブル（或いは、うねり）を有している。このウォブルは、主として当該情報記録媒体に情報を記録する際に、その記録するタイミングを示す基準クロックを生成する一つのパラメータとして用いられる。そして、グルーブトラックの揺動（即ち、ウォブル）の周期が第１記録層及び第２記録層の夫々において相異なることで、夫々の記録層における情報の記録密度を異ならしめることができる。言い換えれば、記録密度が相異なる情報記録媒体であっても、この揺動の周期によって示される基準クロックを参照することで適切な記録動作を実現することができる。【００２１】
本発明の情報記録媒体に係る実施形態の他の態様は、前記第１記録層及び第２記録層は夫々、更に前記グルーブトラック上の記録アドレス位置を示すランドプリピットが形成されており、各記録層における前記ランドプリピットは、各記録層に記録される前記情報の記録密度が相異なるように形成されている。【００２２】
この態様によれば、ランドプリピット（例えば後述のＬＰＰ）により示されるグルーブトラック上の記録アドレス位置が第１記録層及び第２記録層の夫々において相異なることで、夫々の記録層における情報の記録密度を異ならしめることができる。言い換えれば、記録密度が相異なる情報記録媒体であっても、このランドプリピットを参照することで適切な記録動作を実現することができる。【００２３】
本発明の情報記録媒体に係る実施形態の他の態様は、前記第１記録層及び前記第２記録層は夫々、各記録層に記録された前記情報の再生ジッタが最小となるように、前記プリフォーマットがなされている。【００２４】
この態様によれば、第１記録層の記録密度は第１記録層に記録された情報の再生ジッタ値が最小となるような値として規定され、第２記録層の記録密度は第２記録層に記録された情報の再生ジッタ値が最小となるような値として規定される。従って、上述した各種利益に加えて、夫々の記録層においてより好適に情報の再生を行うことが可能という大きな利点を有する。【００２５】
本実施形態のこのような作用及び他の利得は次に説明する実施例から更に明らかにされる。【００２６】
以上説明したように、本発明の情報記録媒体に係る実施形態によれば、第１記録層及び第２記録層の夫々における記録密度が相異なるようにプリフォーマットがなされている。従って、各記録層においてより好適な記録密度で適切に情報の記録を行うことができる。
【実施例】
【００２７】
（情報記録媒体）
以下、本発明の情報記録媒体に係る実施例について、図面を参照して説明する。【００２８】
（第１実施例）
まず、図１から図３を参照して、本発明の情報記録媒体の第１実施例に係る光ディスクについて詳細に説明する。【００２９】
先ず図１を参照して、第１実施例に係る光ディスクの基本構造について説明する。ここに図１は、本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。【００３０】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。また、このトラック１０上には、データがセクタ１１という単位で分割されて記録される。セクタ１１は、記録情報がエラー訂正可能なプリフォーマットアドレスによるデータ管理単位である。【００３１】
尚、本発明は、このような三つのエリアを有する光ディスクには特に限定されない。例えば、リードインエリア１０１やリードアウトエリア１０３が存在せずとも、以下に説明するデータ構造等の構築は可能である。また、後述するように、リードインエリア１０１やリードアウトエリア１０３は更に細分化された構成であってもよい。【００３２】
図２に示すように、第１実施例に係る光ディスク１００では、複数のデータゾーン１０２等が例えば積層構造に形成される２層型の光ディスクとして構成されている。ここに、図２は、第１実施例の光ディスクの記録面における部分拡大斜視図である。【００３３】
図２において、第１実施例では、光ディスク１００は、ディスク状の透明基板１０６上に（図２では下側に）、情報記録面を構成する加熱などによる非可逆変化記録加熱などによる非可逆変化記録型の第１記録層１０７（即ち、Ｌ０層）が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００３４】
本実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはグルーブトラック上の記録アドレス位置（プリフォーマットアドレス情報）を示すランドプリピットＬＰＰと呼ばれるアドレスピットが形成されている。この２つのアドレッシング（即ち、ウォブル１０９及びランドプリピットＬＰＰ）により記録中のディスク回転制御信号や記録クロックの生成、グルーブトラックＧＴ上の記録アドレス等、データ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００３５】
また、本実施例では、半透過反射膜１０８上（図２では下側）に第２記録層２０７（即ち、Ｌ１層）が形成され、更にその上（図２では下側）に反射膜２０８が形成されている。そして、反射膜２０８は、第２記録層２０７上に形成されている。第２記録層２０７は、透明基板１０６、第１記録層１０７及び半透過反射膜１０８を介してレーザ光ＬＢが照射されることで、第１記録層１０７と概ね同様に、加熱などによる非可逆変化記録型の記録及び再生が可能なように構成されている。このような第２記録層２０７及び反射膜２０８については、第１記録層１０７及び半透過反射膜１０８等が形成された透明基板１０６上に成膜形成してもよいし、別基板上に成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００３６】
このような二層型の光ディスク１００の記録再生時には、レーザ光ＬＢの集光位置をいずれの記録層に合わせるかに応じて、第１記録層１０７における記録再生が行なわれるか又は第２記録層２０７における記録再生が行われる。【００３７】
尚、第１実施例に係る光ディスク１００は、図２に示した如き、２層片面、即ち、デュアルレイヤーに限定されるものではなく、３層以上の多層型の光ディスクであってもよい。３層以上の光ディスクであれば、反射膜２０８に代えて半透過反射膜を設け、更にその上（図２では下側）に、第３記録層、反射膜（又は、半透過反射膜）を順に形成すればよい。【００３８】
続いて、光ディスク１００の記録層に記録される情報ピットについて、図３を参照してより詳細に説明する。ここに、図３は、グルーブトラック上に記録される情報ピットを概念的に示す模式図である。【００３９】
図３に示すように、映像情報や音声情報等を含んでなる記録データは、情報ピットとして第１記録層及び第２記録層に記録される。これらの情報ピットは、例えば符号化や圧縮化された本来の映像情報や音声情報等に対してエラー訂正符号たるＥＣＣを付加し、８／１６変調を施すことで変調信号を作成する。その後、該変調信号に対応するピット長を有するようにグルーブトラックＧＴ上に記録されている。【００４０】
第１実施例では特に、図３中左側に示すＬ０層と図３中右側に示すＬ１層とで、グルーブトラックＧＴの揺動の周期が異なるように形成されている。その結果、この揺動の周期の大小によって規定される記録クロックに基づいて記録動作を行うことで、夫々の記録層に記録される情報ピットの単位長が相異なるものとなる。即ち、同一の記録データをＬ０層とＬ１層の夫々へ記録する際には、夫々異なる長さのピット長を有する情報ピットとして記録されている。具体的には、図３中左側の図に示すように、Ｌ０層において所定の情報ピットが記録されているとする。このとき、Ｌ０層に記録されている記録データと同一の記録データをＬ１層に記録する際には、図３中右側の図に示すように、Ｌ０層における情報ピットよりも短い情報ピットが記録される。即ち、鎖線にて対応を示す図３中左側の５つの情報ピットと図３中右側の５つの情報ピットとは、夫々同一の記録データを示している一方で、Ｌ０層とＬ１層の夫々の記録密度は相異なるものとなる。【００４１】
このようにＬ０層及びＬ１層の情報ピットの単位長の長さ（即ち、記録密度）が変わるようにグルーブトラックＧＴの揺動の周期を変えることで、夫々の記録層の記録密度を相異なるものとすることができる。例えば図３では、Ｌ１層に記録される情報ピットの単位長がＬ０層に記録される情報ピットの単位長と比較して短いことから、Ｌ１層における記録密度は、Ｌ０層における記録密度と比較して大きい。このとき、例えば後述の情報記録再生装置のチャンネルビットレートが、Ｌ０層とＬ１層とで同一であるとすると、適切に記録データの記録を行うためには、Ｌ０層の線速度は相対的に速く、一方Ｌ１層の線速度は相対的に遅い必要がある。このとき、情報ピットの単位長の長さの変更に合わせて（或いは、記録密度の変化に合わせて）、ウォブル１０９の周期が変更されている。これにより、情報ピットの単位長の長さを変更したとしても、合わせて変更されたプリフォーマットアドレス情報を参照することで後述の情報記録再生装置をして適切に情報の記録を行うことが可能となる。言い換えれば、このようにプリフォーマットアドレス情報が変更された光ディスクであれば、例えば情報記録再生装置は、当該ウォブル１０９等を参照して、それに応じた情報ピットの長さにて記録データを記録することができる。【００４２】
更に、図３に示すように、プリフォーマットアドレス情報を示すランドプリピットＬＰＰの位置も変更されている。具体的には、Ｌ１層のウォブル１０９の周期がＬ０層のそれと比較してより小さいことに合わせて、Ｌ１層におけるランドプリピットＬＰＰの間隔がＬ０層のそれと比較して小さくなっている。これによっても、例えば情報記録再生装置は、当該ランドプリピットＬＰＰを参照して、それに応じた情報ピットの長さにて記録データを記録することができる。【００４３】
そして、夫々の記録層における記録密度は、夫々の記録層毎に最適な記録密度であることが好ましい。より具体的には、例えば当該情報ピットを再生する際の再生ジッタ値が最小となるような記録密度であってもよい。即ち、Ｌ０層における記録密度は、Ｌ０層に記録された情報ピットを再生する際の再生ジッタ値が最小となるような記録密度であってもよいし、Ｌ１層における記録密度は、Ｌ１層に記録された情報ピットを再生する際の再生ジッタ値が最小となるような記録密度であってもよい。いずれにしても、Ｌ１層の記録密度に関係なくＬ０層の記録密度を定めることができるし、Ｌ０層の記録密度に関係なくＬ１層の記録密度を定める事ができる。また、再生エラーレートが最小となるような記録密度であってもよいし、情報ピットをトラッキングできる程度のマージン（間隔）が存在するような記録密度であってもよい。【００４４】
以上の結果、第１実施例に係る光ディスク１００によれば、夫々の記録層毎に最適な記録密度にて記録データの記録を行うことができる。更に、他の記録層の記録密度に合わせて、本来望ましくない状態にて記録データを記録する必要も無くなり、その結果、記録データの特性向上という利点を有している。【００４５】
尚、第１実施例においては、プリフォーマットアドレス情報を記録するためにウォブル１０９及びランドプリピットＬＰＰを用いているがこのような光ディスク（例えば、ＤＶＤ−Ｒ／ＲＷ等）に限定されるものではない。例えば、光ディスクの一具体例としてのＤＶＤ＋Ｒ／ＲＷ等であれば、ランドプリピットＬＰＰを用いることなくウォブル１０９によりプリフォーマットアドレス情報を記録しているため、このウォブル１０９の周期を変えれば足りる。その他の各種光ディスクにおいても、各記録層においてデータの記録密度が異なるようにプリフォーマットアドレス情報を記録すれば、上述した各種利益を享受することができる。【００４６】
（第２実施例）
続いて、図４及び図５を参照して本発明の情報記録媒体の第２実施例に係る光ディスクについて説明する。ここに、図４は、第２実施例に係る光ディスクの記録密度の分布を概念的に示す平面図であり、図５は、異なる２つの記録層のうち、レーザ光が照射される側から見て遠い側にある記録層へ情報を記録する態様を概念的に示す説明図である。【００４７】
図４に示すように、第２実施例に係る光ディスク１００ｂは、同一の記録層（例えば、Ｌ０層）内において、記録密度が異なる領域が複数存在する。具体的には、例えばＬ０層内において、Ｓ１にて示す相対的に内周側の記録領域における記録密度とＳ２にて示す相対的に外周側の記録領域における記録密度とは相異なる。このため、第１記録層１０７内の（或いは、第２記録層２０７内の）記録特性や線速度（或いは、光ディスクの回転速度）等を十分に考慮して、より好適な記録密度で情報を記録することが可能となる。【００４８】
また、記録層内の位置によらず、例えば図５に示すように、Ｌ０層の状態に応じて、Ｌ１層内の記録密度を変化させるように構成してもよい。具体的には、図５（ａ）に示すように、情報が記録済であるＬ０層の記録領域に対応するＬ１層の記録領域における記録密度と、図５（ｂ）に示すように、情報が未記録であるＬ０層の記録領域に対応するＬ１層の記録領域における記録密度とが相異なるように構成してもよい。より具体的には、概してＬ０層が記録済の場合、照射されるレーザ光ＬＢが散乱等されやすくＬ１層の記録密度が相対的に小さくなるように（即ち、相対的に粗に）情報ピットが記録されることが好ましい。他方、Ｌ０層が未記録の場合、Ｌ１層の記録密度が相対的に大きくなるように（即ち、相対的に密に）情報ピットが記録されてもよい。【００４９】
また、例えば後述の情報記録再生装置であれば、Ｌ１層へ情報を記録する際に、予めＬ０層の状態（即ち、情報が記録済か未記録であるか）を判定し、その判定結果に応じてＬ１層における記録密度を決定するように構成することが好ましい。【００５０】
（情報記録再生装置）
次に図６を参照して、本発明に係る情報記録媒体を用いてデータの記録再生を行う情報記録再生装置に係る実施例の構成及び動作について説明する。【００５１】
先ず、図６を参照して、本発明の実施例に係る情報記録再生装置３００の構成について説明する。ここに、図６は、本発明の実施例に係る情報記録再生装置３００のブロック図である。尚、情報記録再生装置３００は、光ディスク１００に記録データを記録する機能と、光ディスク１００に記録された記録データを再生する機能とを備える。【００５２】
図６を参照して情報記録再生装置３００の内部構成を説明する。情報記録再生装置３００は、プロセッサ３５４の制御下で、光ディスク１００に情報を記録すると共に、光ディスク１００に記録された情報を読み取る装置である。【００５３】
情報記録再生装置３００は、光ディスク１００、スピンドルモータ３５１、光ピックアップ３５２、信号記録再生手段３５３、プロセッサ（ドライブ制御手段）３５４、メモリ３５５、データ入出力制御手段３０６、操作ボタン３１０、表示パネル３１１、及びバス３５７により構成されている。【００５４】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００５５】
本実施例では特に、光ディスク１００上に予め形成されたウォブル１０９やランドプリピットＬＰＰ等のプリフォーマットアドレス情報により示されるクロック信号に従ってデータの記録動作が行なわれる。即ち、スピンドルモータ３５１は、プリフォーマットに基づいて光ディスク１００の回転を制御する。【００５６】
光ピックアップ３５２は光ディスク１００への記録再生を行うもので、レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００５７】
信号記録再生手段３５３は、スピンドルモータ３５１と光ピックアップ３５２を制御することで光ディスク１００に対して記録再生を行う。【００５８】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【００５９】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェアは、メモリ３５５に格納されている。【００６０】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【００６１】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。【００６２】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【００６３】
本実施例では特に、情報記録再生装置３００は、光ディスク１００に対して、プリフォーマットアドレス情報を参照しながら、第１記録層と第２記録層の夫々の記録密度が相異なるように記録データを記録する。具体的にはプリフォーマットアドレス情報を示すウォブル１０９の周期やランドプリピットＬＰＰを読み取ることで得られる記録クロックに基づいて、記録データを各記録層へ記録していく。このため、第１記録層１０７についての記録を、第１記録層１０７自体の記録密度に応じて、また第２記録層２０７についての記録を、第２記録層２０７自体の記録密度に応じて、光ピックアップ３５２により適度なパワーを有するレーザ光を用いて良好に実行できる。このため、夫々の記録層において、より好適な状態で記録データを記録することができる。【００６４】
尚、上述した実施例では、２つの記録層を有する光ディスクを例に説明を進めたが、３つ以上の複数の記録層を有する光ディスクにおいても同様の構成を採ることができることはいうまでもない。そして、同様の構成を採れば、上述した各種利益を享受することができる。【００６５】
本発明は、上述した実施例に限られるものではなく、請求の範囲及び明細書全体から読み取れる発明の要旨或いは思想に反しない範囲で適宜変更可能であり、そのような変更を伴なう情報記録媒体及び情報記録再生装置等もまた本発明の技術的範囲に含まれるものである。
【産業上の利用可能性】
【００６６】
本発明に係る情報記録媒体は、例えば、民生用或いは業務用の、各種情報を高密度に記録可能な多層型の光ディスクに利用可能である。
【図１】
2005069284.tif 000003
【図２】
2005069284.tif 000004
【図３】
2005069284.tif 000005
【図４】
2005069284.tif 000006
【図５】
2005069284.tif 000007
【図６】
2005069284.tif 000008
【手続補正書】
【提出日】平成17年10月27日(2005.10.27)
【手続補正１】
【補正対象書類名】特許請求の範囲
【補正対象項目名】全文
【補正方法】変更
【補正の内容】
【書類名】請求の範囲
【請求項１】情報を記録するための第１記録層と第２記録層とを少なくとも備えており、
前記第１記録層及び前記第２記録層は夫々、同一のトラックピッチからなる前記情報を記録するためのグルーブトラックを有し、且つ（ｉ）前記情報が記録済みである前記第１記録層の記録領域に対応する前記第２記録層の記録領域における記録密度と（ｉｉ）前記情報が未記録である前記第１記録層の記録領域に対応する前記第２記録層の記録領域における記録密度とが相異なる状態を、前記情報を記録する情報記録装置側における前記第１記録層及び前記第２記録層の夫々に対するチャンネルビットレートを同一にした状態で実現するように、記録時のクロックを生成するためのプリフォーマットがなされていることを特徴とする情報記録媒体。
【請求項２】前記第１記録層及び前記第２記録層は夫々、前記グルーブトラックが各記録層において相異なる周期で揺動することにより前記プリフォーマットがなされていることを特徴とする請求の範囲第１項に記載の情報記録媒体。
【請求項３】前記第１記録層及び第２記録層は夫々、更に前記グルーブトラック上の記録アドレス位置を示すランドプリピットが形成されており、
各記録層における前記ランドプリピットは、（ｉ）前記情報が記録済みである前記第１記録層の記録領域に対応する前記第２記録層の記録領域における記録密度と（ｉｉ）前記情報が未記録である前記第１記録層の記録領域に対応する前記第２記録層の記録領域における記録密度と相異なる状態を、前記情報を記録する情報記録装置側における前記第１記録層及び前記第２記録層の夫々に対するチャンネルビットレートを同一にした状態で実現するように形成されていることを特徴とする請求の範囲第２項に記載の情報記録媒体。
【請求項４】前記第１記録層及び前記第２記録層は夫々、各記録層に記録される前記情報の再生ジッタが最小となるように、前記プリフォーマットがなされていることを特徴とする請求の範囲第１項に記載の情報記録媒体。
【請求項５】情報を記録するための第１記録層と第２記録層とを少なくとも備える情報記録媒体に前記情報を記録する情報記録装置であって、
前記第１記録層及び前記第２記録層の少なくとも一方に前記情報を記録する記録手段と、
（ｉ）前記情報が記録済みである前記第１記録層の記録領域に対応する前記第２記録層の記録領域における記録密度と、（ｉｉ）前記情報が未記録である前記第１記録層の記録領域に対応する前記第２記録層の記録領域における記録密度と、が相異なって前記情報が記録されるように前記記録手段を制御する制御手段と
を備えることを特徴とする情報記録装置。
【請求項６】前記第１記録層及び前記第２記録層は夫々、同一のトラックピッチからなる前記情報を記録するためのグルーブトラックを有し、且つ（ｉ）前記情報が記録済みである前記第１記録層の記録領域に対応する前記第２記録層の記録領域における記録密度と（ｉｉ）前記情報が未記録である前記第１記録層の記録領域に対応する前記第２記録層の記録領域における記録密度とが相異なる状態を、前記情報を記録する情報記録装置側における前記第１記録層及び前記第２記録層の夫々における前記記録密度の制御を同一にした状態で実現するように、記録時のクロックを生成するためのプリフォーマットがなされており、
前記制御手段は、前記プリフォーマットに応じて前記記録手段を制御することを特徴とする請求の範囲第５項に記載の情報記録装置。
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
情報を記録するための第１記録層と第２記録層とを少なくとも備えており、
前記第１記録層及び前記第２記録層は夫々、同一のトラックピッチからなる前記情報を記録するためのグルーブトラックを有し、且つ(i)前記情報が記録済みである前記第１記録層の記録領域に対応する前記第２記録層の記録領域における記録密度と(ii)前記情報が未記録である前記第１記録層の記録領域に対応する前記第２記録層の記録領域における記録密度とが相異なる状態を、前記情報を記録する情報記録装置側における前記第１記録層及び前記第２記録層の夫々に対するチャンネルビットレートを同一にした状態で実現するように、記録時のクロックを生成するためのプリフォーマットがなされていることを特徴とする情報記録媒体。
【請求項２】
前記第１記録層及び前記第２記録層は夫々、前記グルーブトラックが各記録層において相異なる周期で揺動することにより前記プリフォーマットがなされていることを特徴とする請求項１に記載の情報記録媒体。
【請求項３】
前記第１記録層及び第２記録層は夫々、更に前記グルーブトラック上の記録アドレス位置を示すランドプリピットが形成されており、
各記録層における前記ランドプリピットは、(i)前記情報が記録済みである前記第１記録層の記録領域に対応する前記第２記録層の記録領域における記録密度と(ii)前記情報が未記録である前記第１記録層の記録領域に対応する前記第２記録層の記録領域における記録密度とが相異なる状態を、前記情報を記録する情報記録装置側における前記第１記録層及び前記第２記録層の夫々に対するチャンネルビットレートを同一にした状態で実現するように形成されていることを特徴とする請求項２に記載の情報記録媒体。
【請求項４】
前記第１記録層及び前記第２記録層は夫々、各記録層に記録される前記情報の再生ジッタが最小となるように、前記プリフォーマットがなされていることを特徴とする請求項１に記載の情報記録媒体。
【請求項５】
情報を記録するための第１記録層と第２記録層とを少なくとも備える情報記録媒体に前記情報を記録する情報記録装置であって、
前記第１記録層及び前記第２記録層の少なくとも一方に前記情報を記録する記録手段と、
(i)前記情報が記録済みである前記第１記録層の記録領域に対応する前記第２記録層の記録領域における記録密度と、(ii)前記情報が未記録である前記第１記録層の記録領域に対応する前記第２記録層の記録領域における記録密度と、が相異なって前記情報が記録されるように前記記録手段を制御する制御手段と
を備えることを特徴とする情報記録装置。
【請求項６】
前記第１記録層及び前記第２記録層は夫々、同一のトラックピッチからなる前記情報を記録するためのグルーブトラックを有し、且つ(i)前記情報が記録済みである前記第１記録層の記録領域に対応する前記第２記録層の記録領域における記録密度と(ii)前記情報が未記録である前記第１記録層の記録領域に対応する前記第２記録層の記録領域における記録密度とが相異なる状態を、前記情報を記録する情報記録装置側における前記第１記録層及び前記第２記録層の夫々における前記記録密度の制御を同一にした状態で実現するように、記録時のクロックを生成するためのプリフォーマットがなされており、
前記制御手段は、前記プリフォーマットに応じて前記記録手段を制御することを特徴とする請求項５に記載の情報記録装置。
【国際調査報告】
2005069284.tif 000009
2005069284.tif 000010
2005069284.tif 000011
2005069284.tif 000012